(57)【要約】  いくつかの実施例は、無線電力伝送装置、システム、及び/又は方法を含む。例えば、本装置は、コントローラを含み、検出期間の最中にプローブのシーケンスを送信するように無線電力送信器（ＷＰＴ）をコントロールし、プローブのシーケンスに係るプローブ送信の最中のＷＰＴに誘導されたロードの検出に基づいて無線電力受信器（ＷＰＲ）を検出し、かつ、ＷＰＲを検出すると、無線充電信号をＷＰＲに対して送信するようにＷＰＴをコントロールする。
2016527853.tif 000002
【特許請求の範囲】
【請求項１】
無線電力伝送のための装置であって、
検出期間の最中にプローブのシーケンスを送信するように無線電力送信器（ＷＰＴ）をコントロールし、
前記プローブのシーケンスに係るプローブ送信の最中の前記ＷＰＴに誘導されたロードの検出に基づいて、無線電力受信器（ＷＰＲ）を検出し、かつ、
前記ＷＰＲを検出すると、無線充電信号を前記ＷＰＲに対して送信するように前記ＷＰＴをコントロールする、
コントローラ、
を含む、装置。
【請求項２】
前記コントローラは、前記プローブ送信の最中の前記ＷＰＴのインピーダンスにおける変化を検出することによって、前記誘導されたロードを検出する、
請求項１に記載の装置。
【請求項３】
前記コントローラは、前記プローブ送信の最中の前記ＷＰＴのパワーアンプにおける電流の変化を検出することによって、前記誘導されたロードを検出する、
請求項１に記載の装置。
【請求項４】
前記パワーアンプにおける電流の一つまたはそれ以上のピークを検出するためのピ−ク検出器、を含み、
前記コントローラは、前記一つまたはそれ以上のピークに基づいて前記ＷＰＲを検出する、
請求項３に記載の装置。
【請求項５】
前記ピーク検出器は、３ミリ秒より短い期間内に前記一つまたはそれ以上のピークを検出するように構成されている、
請求項４に記載の装置。
【請求項６】
前記ピーク検出器は、１００マイクロ秒より短い期間内に前記一つまたはそれ以上のピークを検出するように構成されている、
請求項５に記載の装置。
【請求項７】
前記ピーク検出器は、サンプルホールド回路を含む、
請求項４に記載の装置。
【請求項８】
前記プローブは、３ミリ秒より短いデュレーションを有する、
請求項１に記載の装置。
【請求項９】
前記プローブの前記デュレーションは、１００マイクロ秒又はそれより短い、
請求項８に記載の装置。
【請求項１０】
前記プローブのエネルギレベルは、前記無線充電信号のエネルギレベルより小さい、
請求項１に記載の装置。
【請求項１１】
前記プローブのシーケンスのうち２つの連続したプローブは、少なくとも１秒によって分離されている、
請求項１に記載の装置。
【請求項１２】
前記コントローラは、前記ＷＰＲの検出後に、前記ＷＰＲとの通信リンクを確立する、
請求項１に記載の装置。
【請求項１３】
無線電力伝送システムであって、前記システムは、
請求項１乃至１２いずれか一項に記載の装置を含む無線電力送信器（ＷＰＴ）デバイス、を含み、
前記ＷＰＴデバイスは、
電源と、
前記電源からの電力を増幅するパワーアンプと、
前記パワーアンプからの増幅された電力を使用して、信号を送信するための送信器レゾネータと、を含み、
前記コントローラは、前記プローブのシーケンスを送信するように前記送信器レゾネータをコントロールし、かつ、前記ＷＰＲに対して前記無線充電信号を送信するように前記送信器レゾネータをコントロールする、
システム。
【請求項１４】
前記ＷＰＴデバイスを含む無線充電デバイス、
を含む、請求項１３に記載のシステム。
【請求項１５】
無線電力伝送のための方法であって、
検出期間の最中に無線電力送信器（ＷＰＴ）によってプローブのシーケンスを送信する手段と、
前記プローブのシーケンスに係るプローブ送信の最中の前記ＷＰＴに誘導されたロードの検出に基づいて、無線電力受信器（ＷＰＲ）を検出する手段と、
前記ＷＰＲを検出すると、無線充電信号を前記ＷＰＴから前記ＷＰＲに対して送信する手段と、
を含む、方法。
【請求項１６】
前記プローブ送信の最中の前記ＷＰＴのインピーダンスにおける変化を検出することによって、前記誘導されたロードを検出する手段、
を含む、請求項１５に記載の方法。
【請求項１７】
前記プローブ送信の最中の前記ＷＰＴのパワーアンプにおける電流の変化を検出することによって、前記誘導されたロードを検出する手段、
を含む、請求項１５に記載の方法。
【請求項１８】
前記パワーアンプにおける電流の一つまたはそれ以上のピークを検出する手段と、
前記一つまたはそれ以上のピークに基づいて前記ＷＰＲを検出する手段と、
を含む、請求項１７に記載の方法。
【請求項１９】
３ミリ秒より短い期間内に前記一つまたはそれ以上のピークを検出する手段、
を含む、請求項１８に記載の方法。
【請求項２０】
１００マイクロ秒より短い期間内に前記一つまたはそれ以上のピークを検出する手段、
を含む、請求項１９に記載の方法。
【請求項２１】
前記プローブは、３ミリ秒より短いデュレーションを有する、
請求項１５に記載の方法。
【請求項２２】
前記プローブの前記デュレーションは、１００マイクロ秒又はそれより短い、
請求項２１に記載の方法。
【請求項２３】
前記プローブのエネルギレベルは、前記無線充電信号のエネルギレベルより小さい、
請求項１５に記載の方法。
【請求項２４】
前記プローブのシーケンスのうち２つの連続したプローブは、少なくとも１秒によって分離されている、
請求項１５に記載の方法。
【請求項２５】
インストラクションが保管された固定のストレージ媒体を含む製品であって、
マシンによって実行されると、請求項１５乃至２４いずれか一項に記載の方法を結果として生じる、製品。
【発明の詳細な説明】
【技術分野】
【０００１】
本発明に係るいくつかの例証的な実施は、無線電力伝送に関する。
【０００２】
本出願は、米国特許仮出願第６１／８５６２１９号、タイトル“Ｔｅｃｈｎｉｑｕｅｓ  Ａｌｌｏｗｉｎｇ  Ｐｈｙｓｉｃａｌ  Ｓｅｎｓｉｎｇ  ｉｎ  Ｗｉｒｅｌｅｓｓ  Ｃｈａｒｇｉｎｇ  ｔｏ  Ｒｅｄｕｃｅ  Ｓｔａｎｄｂｙ  Ｐｏｗｅｒ”、出願日２０１３年７月１９日、の優先権を主張するものであり、ここにおいて、その開示全体が参照として包含されている。
【背景技術】
【０００３】
無線技術は進化を続けており、市場においては無線技術を用いた幅広いデバイスが利用可能である。消費者の生活に統合されてきたセルラハンドセット（ｃｅｌｕｌａｒ  ｈａｎｄｓｅｔ）およびスマートフォンの出現に加えて、伝統的にあらゆる通信手段を備えていない既存のアプローチが、無線で可能になってきている。例えば、種々の産業的、商業的、及び/又は、居住的システムは、モニタリング、医療、レポート、コントロール、等の目的のために無線通信を採用し得る。
【０００４】
無線通信のアプリケーションの拡大につれて、無線機器の電力供給が懸念となってきている。この懸念は、主にモバイル通信機器の領域に存在し、そこでは、拡大する無線通信の適用性が、電力消費において対応する増加を意味している。一つの方法では、バッテリーサイズ及び/又はデバイス効率を増加することによって、電力問題が取り扱われ得る。こうした両方の領域における開発が継続しているが、無線機器のサイズ、コスト、等をコントロールする欲求により邪魔されることがある。
【０００５】
モバイル無線機器の電力消費が取り扱われ得る別の方法は、より容易な機器の再充電を促進することによるものである。既存のシステムにおいて、バッテリー駆動の機器は、再充電のため定期的に、例えば、商用電源、太陽光発電、燃料セル、等の別の電源に対して接続される必要がある。このことは、典型的には、その機器に特有の再充電器が充電されるように維持すること、かつ、一定期間その機器を充電コードに機械的に接続することを含んでいる。
【０００６】
この厄介なプロセスを置き換えるために、再充電の領域における開発が行われている。例えば、ワイヤレス充電は、所定の機器に対応する充電装置が充電されるようにする要求を除去し得る。
【０００７】
無線電力伝送は、「最後のコードの切断（”ｃｕｔｔｉｎｇ  ｔｈｅ  ｌａｓｔ  ｃｏｒｄ”）」によって、電子機器を一変させる可能性を有している。再充電装置へプラグインする必要性からユーザを解放し、かつ、例えば、コネクタのない機器ができることにより、デザインスペースを変化させるものである。
【０００８】
しかしながら、充電装置と充電されるべき機器との間の通信の必要性のため、無線充電システムのスタンバイ電力消費は、現在あまりにも大きい。従って、無線充電システムにおける電力消費を削減する技術に対する一般的な必要性が存在している。
【図面の簡単な説明】
【０００９】
説明の簡素化および明確化のために、図面において示されるエレメントは、必ずしも拡大縮小されることを要しない。例えば、いくつかのエレメントの寸法は、説明の明確化のために、他のエレメントと比べて強調されてよい。さらに、対応する又は類似のエレメントを示すように、図面の中では参照番号が繰り返されている。図面のリストは、以下のとおりである。
【図１】図１は、いくつかの例証的な実施に従った、システムの模式的なブロックダイヤグラムを示している。
【図２】図２は、いくつかの例証的な実施に従った、無線電力伝送に関わるデバイスの模式的な説明図である。
【図３】図３は、いくつかの例証的な実施に従った、２つのデバイス間における電力伝送スキームの模式的な説明図である。
【図４】図４は、いくつかの例証的な実施に従った、検出器の模式的な説明図である。
【図５】図５は、いくつかの例証的な実施に従った、無線電力伝送方法の模式的なフローチャートである。
【図６】図６は、いくつかの例証的な実施に従った、製品の模式的な説明図である。
【発明を実施するための形態】
【００１０】
以下の詳細な説明では、多数の具体的な詳細が、いくつかの実施形態の完全な理解を提供するために説明されている。なお、当業者であれば、いくつかの実施形態は、そのような具体的な詳細がなくても実施し得ることが理解されよう。他のインスタンスにおいては、よく知られている方法、プロシージャ、コンポーネント、ユニット及び／又は回路は、議論を不明りょうにしないように、詳細には記載されていない。
【００１１】
例えば、“処理する（ｐｒｏｃｅｓｓｉｎｇ）”、“計算する（ｃｏｍｐｕｔｉｎｇ）”、“算出する（ｃａｌｃｕｌａｔｉｎｇ）”、“決定する（ｄｅｔｅｒｍｉｎｉｎｇ）”、“確立する（ｅｓｔａｂｌｉｓｈｉｎｇ）”、“解析する（ａｎａｌｙｚｉｎｇ）”、“確認する（ｃｈｅｃｋｉｎｇ）”、又は類似のもの、といった用語を利用しているここにおける議論は、コンピュータのレジスタ及び／又はメモリ内で物理（例えば、電子）量として表現されるデータを操作及び／又は変換して、コンピュータレジスタ及び／又はメモリ、あるいは、動作及び／又はプロセスを実行する命令を記憶し得る他の情報記憶媒体内で同様に物理量として表現される他のデータとするコンピュータ、コンピューティングプラットフォーム、コンピューティングシステム、又は他の電子コンピューティングデバイスの動作及び／又はプロセス、を参照してよい。
【００１２】
ここにおいて使用される用語“多数（ｐｌｕｒａｌｉｔｙ）”及び“複数（ａ  ｐｌｕｒａｌｉｔｙ）”は、例えば、“多数からなる（ｍｕｌｔｉｐｌｅ）”又は“２つ以上（ｔｗｏ  ｏｒ  ｍｏｒｅ）”を含んでいる。例えば、“複数の項目（ａ  ｐｌｕｒａｌｉｔｙ  ｏｆ  ｉｔｅｍｓ）”は、２つ以上の項目（ｔｗｏ  ｏｒ  ｍｏｒｅ  ｉｔｅｍｓ）を含んでいる。
【００１３】
“一つの実施例（ｏｎｅ  ｅｍｂｏｄｉｍｅｎｔ）”、“一実施例（ａｎ  ｅｍｂｏｄｉｍｅｎｔ）”、“例証的な実施（ｄｅｍｏｎｓｔｒａｔｉｖｅ  ｅｍｂｏｄｉｍｅｎｔ）”、“種々の実施例（ｖａｒｉｏｕｓ  ｅｍｂｏｄｉｍｅｎｔ）”等への言及は、そのように記述される実施例は、特定の機能、構造、又は特性を含み得るが、あらゆる実施例が、必ずしもその特定の機能、構造、又は特性を含むものではないことを示している。さらに、繰り返して使用される用語“一つの実施例において（ｉｎ  ｏｎｅ  ｅｍｂｏｄｉｍｅｎｔ）”は、必ずしも同一の実施例に言及しているものではないが、そういうこともある。
【００１４】
ここにおいて使用されるように、そうでないものと特定されない限り、共通のオブジェクトを記述するための序数詞“第１（ｆｉｒｓｔ）”、“第２（ｓｅｃｏｎｄ）”、“第３（ｔｈｉｒｄ）”等の使用は、同じ態様の異なるインスタンスが言及されていることを単に示しているだけであり、そのように記載されたオブジェクトが時間的に、空間的に、ランク付けにおいて、又は、あらゆる他の方法において、所与のシーケンスでなければならないことを暗示するよう意図されていない。
【００１５】
いくつかの実施例は、種々のデバイス及びシステムと共に使用されてよい。例えば、パーソナルコンピュータ（ＰＣ）、デスクトップコンピュータ、モバイルコンピュータ、ラップトップコンピュータ、ノートブックコンピュータ、タブレットコンピュータ、ウルトラブック（ＵｌｔｒａｂｏｏｋＴＭ）コンピュータ、サーバーコンピュータ、ハンドヘルドコンピュータ、ハンドヘルドデバイス、ペリフェラルデバイス、パーソナルデジタルアシスタント（ＰＤＡ）デバイス、ハンドヘルドＰＤＡデバイス、無線充電デバイス、オンボードデバイス、オフボードデバイス、ハイブリッドデバイス、車両機器、非車両機器、モバイル又はポータブルデバイス、コンシューマデバイス、非モバイル又は非ポータブルデバイス、無線通信局、無線通信デバイス、ビデオ機器、オーディオ機器、オーディオビデオ（Ａ／Ｖ）機器、ペリフェラルデバイス、等である。
【００１６】
いくつかの実施例は、既存のアライアンスフォーワイヤレスパワー（Ａｌｌｉａｎｃｅ  ｆｏｒ  Ｗｉｒｅｌｅｓｓ  Ｐｏｗｅｒ、Ａ４ＷＰ）規格（Ａ４ＷＰ  Ｗｉｒｅｌｅｓｓ  Ｐｏｅｒ  Ｔｒａｎｓｆｅｒ  Ｓｙｓｔｅｍ  Ｂａｓｅｌｉｎｅ  Ｓｙｓｔｅｍ  Ｓｐｅｃｉｆｉｃａｔｉｏｎ（ＢＳＳ）  Ｐｒｏｐｏｓａｌ  Ｖｅｒｓｉｏｎ１．０．４、２０１３年３月６日）、並びに／又は、その将来のバージョン及び/若しくは派生物に従って動作するデバイス及び／又はシステム、既存のワイヤレスパワーコンソーシアム（ＷＩＲＥＬＥＳＳ  Ｐｏｗｅｒ  Ｃｏｎｓｏｒｔｉｕｍ、ＷＰＣ）規格（“Ｓｙｓｔｅｍ  Ｄｅｓｃｒｉｐｔｉｏｎ、  Ｗｉｒｅｌｅｓｓ  Ｐｏｗｅｒ  Ｔｒａｎｓｆｅｒ、ＶｏｌｕｍｅＩ：Ｌｏｗ  Ｐｏｗｅｒ、Ｐａｒｔ１：Ｉｎｔｅｒｆａｃｅ  Ｄｅｆｉｎｉｔｉｏｎ、Ｖｅｒｓｉｏｎ９１．１．１、２０１２年７月、を含む。）並びに／又はその将来のバージョン及び／若しくは派生物に従って動作するデバイス及び／又はシステム、無線充電規格、無線伝送規格に従って動作するデバイス及び／又はネットワーク、上記のシステムの一部であるユニット及び／又はデバイス、および類似のもの、と共に使用されてよい。
【００１７】
用語“無線デバイス（ｗｉｒｅｌｅｓｓ  ｄｅｖｉｃｅ）”は、ここにおいて使用されるように、例えば、無線通信可能なデバイス、無線通信可能な通信デバイス、無線通信可能な通信局、無線通信可能なポータブル若しくは非ポータブルデバイス、又は、類似のものを含んでいる。いくつかの実施例において、無線デバイスは、コンピュータと一体化されている周辺機器、又は、コンピュータに取り付けられている周辺機器であってよく、あるいは、そのような周辺機器を含んでよい。いくつかの実施例において、用語“無線デバイス”は、任意的に、無線サービスを含んでよい。
【００１８】
無線通信信号に関してここにおいて使用される用語“通信する（ｃｏｍｍｕｎｉｃａｔｉｎｇ）”は、無線通信信号を送信すること、及び／又は、無線通信信号を受信することを含んでいる。例えば、無線通信信号を通信することができる無線通信ユニットは、無線通信信号を少なくとも一つの他の無線通信ユニットへ送信する無線送信器、及び／又は、無線通信信号を少なくとも一つの他の無線通信ユニットから受信する無線通信受信器を含んでよい。
【００１９】
図１をこれから参照すると、いくつかの例証的な実施に従った、システム１００が模式的に示されている。
【００２０】
図１に示されるように、いくつかの実施例において、システム１００は、少なくとも一つのデバイス１１０（「充電する装置（”ｃｈｒｇｉｎｇ  ｄｅｖｉｃｅ”）」）を有し得る。充電する装置は、以下に説明するように、例えば、機器１５０を充電するために、少なくとも一つの機器１５０によって受け取られるべき少なくとも一つの無線電力信号１０２を送信するように構成されている。いくつかの実施例においては、図１に示されるように、装置１１０は、無線電力信号１０２を、一つの機器１５０に対して送信し得る。他の実施例において、装置１１０は、例えば、複数の機器を同時に又は連続的に充電するために、複数の機器によって受け取られるべき少なくとも一つの無線電力信号１０２を送信し得る。
【００２１】
いくつかの実施例において、装置１１０は、無線電力信号１０２を送信するように構成された無線電力送信器（Ｗｉｒｅｌｅｓｓ  Ｐｏｗｅｒ  Ｔｒａｎｓｍｉｔｔｅｒ、ＷＰＴ）１１２を含んでよく、かつ、機器１５０は、無線電力信号を受信するように構成された無線電力受信器（Ｗｉｒｅｌｅｓｓ  Ｐｏｗｅｒ  Ｒｅｃｅｉｖｅｒ、ＷＰＲ）１５２を含んでよい。
【００２２】
いくつかの実施例において、ＷＰＲ１５２は、機器１５０の少なくとも一つのデバイスロード（ｄｅｖｉｃｅ  ｌｏａｄ）１９３に対して電力を供給するように構成されてよい。
【００２３】
いくつかの実施例において、機器１５０は、バッテリー駆動の機器であってよい。
【００２４】
一つの実施例において、ロード１９３は、機器１５０のバッテリー１９１を含んでよい。例えば、ＷＰＲ１５２は、バッテリー１９１を充電するための電力を供給するように構成されてよい。
【００２５】
例えば、機器１５０は、モバイルフォン、スマート、フォン、腕時計、モバイルコンピュータ、ラップトップコンピュータ、タブレットコンピュータ、ウルトラブック（ＵｌｔｒａｂｏｏｋＴＭ）コンピュータ、ノートブックコンピュータ、ビデオ機器、ディスプレイ機器、ハンドヘルドコンピュータ、ハンドヘルドデバイス、ＰＤＡデバイス、ハンドヘルドＰＤＡデバイス、ハイブリッドデバイス（例えば、携帯電話機能をＰＤＡデバイスの機能と組み合わせたもの）、消費者機器、車両機器、非車両機器、モバイル又はポータブル機器、携帯電話、パーソナルコミュニケーションシステム（ＰＣＳ）デバイス、無線機器を包含するＰＤＡデバイス、モバイル又はポータブルＧＰＳ機器、比較的小さなコンピューティングデバイス、非デスクトップコンピュータ、”Ｃａｒｒｙ  Ｓｍａｌｌ  Ｌｉｖｅ  Ｌａｒｇｅ”（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「おりがみ（”Ｏｒｉｇａｍｉ”）」デバイスまたはコンピューティングデバイス、オーディオ機器、Ａ／Ｖ機器、パーソナルメディアプレーヤ（ＰＭＰ）、デジタルビデオカメラ（ＤＶＣ）、デジタルオーディオプレーヤ、デジタルスティルカメラ（ＤＳＣ）、メディアプレーヤ、音楽プレーヤ、等である。
【００２６】
他の実施例において、機器１５０は、デバイス１１０から受け取った電力を直接的に消費するように構成され得る機器、例えば、周辺機器、を含んでよい。
【００２７】
一つの実施例において、ロード１９３は、機器１５０の一つまたはそれ以上のコンポーネント１９５を含んでよい。ＷＰＲ１５２から供給された電力を利用するように構成され得るものである。例えば、ＷＰＲ１５２は、一つまたはそれ以上のコンポーネント１９５によって消費される電力を供給するように構成されてよい。
【００２８】
例えば、機器１５０は、無線マウス、無線キーボード、無線ストレージデバイス、無線センサデバイス、無線オーディオ機器、無線スピーカ機器、無線マイクロフォン、無線ジョイスティック、トラックボール、リモートコントロール、等を含んでよい。
【００２９】
いくつかの実施例において、デバイス１１０は、非モバイル機器を含んでよい。例えば、パーソナルコンピュータ（ＰＣ）、デスクトップコンピュータ、専用充電機器、車両機器、自動車充電器、オンボードデバイス、オフボードデバイス、消費者機器、ビデオ機器、オーディオ機器、Ａ／Ｖ機器、等である。
【００３０】
他の実施例において、デバイス１１０は、モバイル機器を含んでよい。例えば、モバイル充電器、充電器パッド、充電器プレート、充電器ボード、充電器カバー、充電器マット、充電器ケース、充電器スリーブ、モバイルフォン、スマートフォン、腕時計、モバイルコンピュータ、ラップトップコンピュータ、タブレットコンピュータ、ウルトラブック（ＵｌｔｒａｂｏｏｋＴＭ）コンピュータ、ノートブックコンピュータ、ビデオ機器、ディスプレイ機器、ハンドヘルドコンピュータ、ハンドヘルドデバイス、ＰＤＡデバイス、ハンドヘルドＰＤＡデバイス、ハイブリッドデバイス（例えば、携帯電話機能をＰＤＡデバイスの機能と組み合わせたもの）、消費者機器、車両機器、非車両機器、モバイル又はポータブル機器、携帯電話、ＰＣＳデバイス、無線機器を包含するＰＤＡデバイス、モバイル又はポータブルＧＰＳ機器、比較的小さなコンピューティングデバイス、非デスクトップコンピュータ、”Ｃａｒｒｙ  Ｓｍａｌｌ  Ｌｉｖｅ  Ｌａｒｇｅ”（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「おりがみ（”Ｏｒｉｇａｍｉ”）」デバイスまたはコンピューティングデバイス、オーディオ機器、Ａ／Ｖ機器、パーソナルメディアプレーヤ（ＰＭＰ）、デジタルビデオカメラ（ＤＶＣ）、デジタルオーディオプレーヤ、デジタルスティルカメラ（ＤＳＣ）、メディアプレーヤ、音楽プレーヤ、等である。
【００３１】
一つの実施例において、デバイス１１０は、第１のモバイル機器を含んでよい。例えば、モバイルコンピュータ、例としてウルトラブックコンピュータ、ラップトップコンピュータ、又はノートブックコンピュータである。そして、機器１５０は、第２のモバイル機器を含んでよい。例えば、モバイルフォン、別のモバイルコンピュータ、等である。
【００３２】
別の実施例において、デバイス１１０は、モバイルコンピュータを含んでよい。例えば、ウルトラブックコンピュータ、ラップトップコンピュータ、又はノートブックコンピュータである。そして、機器１５０は、モバイルコンピュータの周辺機器を含んでよい。例えば、無線キーボード、無線マウス、無線マイクロフォン、無線スピーカ、無線ジョイスティック、等である。
【００３３】
別の実施例において、デバイス１１０は、据置き型のデバイスを含んでよい。例えば、ＰＣ又はデスクトップコンピュータである。そして、機器１５０は、据置き型のデバイスの周辺機器を含んでよい。例えば、無線キーボード、無線マウス、無線マイクロフォン、無線スピーカ、無線ジョイスティック、等であり、もしくは、据置き型のデバイスによって充電されるモバイル機器、例えば、モバイルフォン、モバイルコンピュータ、等である。
【００３４】
他の実施例において、デバイス１１０及び/又は機器１５０は、モバイルまたは非モバイル機器のあらゆる他の組合せを含んでよい。
【００３５】
いくつかの実施例において、ＷＰＴ１１２は、例えば、オブジェクト、例として機器１５０が、デバイス１１０に近接した既定の領域（「充電領域（”ｃｈａｒｇｉｎｇ  ａｒｅａ”）」）に在ること、または、デバイス１１０に接触していることを検出すると、電力信号１０２を伝送するように構成されてよい。例えば、無線電力信号１０２が、ＷＰＲ１５２によって効率的に受信され得るようにである。
【００３６】
いくつかの実施例において、ＷＰＲ１５２は、無線電力信号１０２を受信し得る。かつ、機器１５０のバッテリー１９１を充電し、及び/又は、機器１５０の一つまたはそれ以上のコンポーネント１９５を動作させるために電力を供給し得る。
【００３７】
いくつかの実施例において、ＷＰＴ１１２は、電源１２０から受け取った電力を増幅するためのパワーアンプ（Ｐｏｗｅｒ  Ａｍｐｌｉｆｉｅｒ、ＰＡ）を含んでよい。
【００３８】
一つの実施例において、電源１２０は、デバイス１１０の内部電源を含んでよい。
例えば、デバイス１１０のバッテリーである。
【００３９】
別の実施例において、電源１２０は、壁型電源アダプタ、及び/又は、変換器を含んでよい。例えば、直流（ＤＣ）から直流へ（ＤＣ２ＤＣ）の変換器、または、交流ＡＣからＤＣへ（ＡＣ２ＤＣ）の変換器であり、例えば、電源コードまたはケーブルを介して、外部電源から受け取った電力を変換する。
【００４０】
いくつかの実施例において、ＷＰＴ１２０は、送信器（Ｔｘ）レゾネータ１２６を含んでよい。ＰＡ１２２からの電力を、例えば、ラジオ周波数（ＲＦ）信号の形態において、無線充電信号１０２へと変換するように構成されているものである。例えば、Ｔｘレゾネータ１２６は、ＰＡ１２２によって提供される電力に応じて、充電信号１０２を生成することができる磁場生成器（ｍａｇｎｅｔｉｃ  ｆｉｅｌｄ  ｇｅｎｅｒａｔｏｒ）を含んでよい。一つの実施例において、Ｔｘレゾネータ１２６は、コイルまたは伝導線を含んでよい。
【００４１】
いくつかの実施例において、ＷＰＴ１１２は、ＰＡ１２２とＴｘレゾネータ１２６との間の電気的インピーダンスを整合させるためのマッチングネットワーク１２４を含んでよい。例えば、ＰＡ１２２とＴｘレゾネータ１２６との間の電力伝送を最大化し、及び/又は、Ｔｘレゾネータ１２６からの反射を最小化するためである。
【００４２】
いくつかの実施例において、ＷＰＲ１５２は、無線充電信号１０２を電力信号へと変換するように構成された受信器（Ｒｘ）レゾネータ１６６を含んでよい。例えば、ＲＸレゾネータ１６６は、コイルを含んでよい。
【００４３】
いくつかの実施例において、ＷＰＲ１５２は、ＤＣ２ＤＣ変換器を含んでよい。ＲＸレゾネータ１６６から受け取った電力信号を、例えば、機器１５０のバッテリー１９１を充電し、及び/又は、機器１５０の一つまたはそれ以上のコンポーネント１９５に電力供給するために、ロード１９２に対して適切な電力信号へと変換するためである。
【００４４】
いくつかの実施例において、ＷＰＲ１５２は、例えば、Ｒｘレゾネータ１６６とロード１９３との間の電力伝送を最大限とするよう、及び/又は、ロード１９３からの反射を最小限とするよう、Ｒｘレゾネータ１６６とロード１９３との間の電気的インピーダンスを整合させる整合ネットワーク１６４を含んでよい。
【００４５】
いくつかの実施例において、ＷＰＴ１１２は、例えば、以下に説明されるように、無線電力信号１０２を生成するようにＴｘレゾネータ１２６へ供給される電流をコントロールすることによって、ＷＰＴ１１２の一つまたはそれ以上のオペレーションをコントロールするためのコントローラ１１４を含んでよい。
【００４６】
いくつかの実施例において、ＷＰＲ１５２は、例えば、以下に説明されるように、ＷＰＴ１１２と通信することによって、ＷＰＲ１５２の一つまたはそれ以上のオペレーションをコントロールするためのコントローラ１５４を含んでよい。
【００４７】
いくつかの実施例において、ＷＰＴ１１２とＷＰＲ１５２は、無線通信信号１０４にわたり通信するように構成されてよく、ＷＰＴ１１２とＷＰＲ１５２との間で通信された情報を伝送し得る。例えば、デバイス１１０は、無線通信モジュール１１６を含んでよく、及び/又は、機器１５０は、信号１０４を通信するための無線通信モジュール１５６を含んでよい。
【００４８】
いくつかの実施例において、無線通信モジュール１１６と１５６は、赤外線（ＩＲ）通信モジュールを含んでよい。ＩＲ信号の形式における信号１０４に対するものである。他の実施例において、無線通信モジュール１１６と１５６は、他の無線通信モジュールを含んでよい。例えば、ブルートゥース（登録商標）（ＢＴ）通信モジュール、ワイヤレスフィデリティ（ＷｉＦｉ）通信モジュール、ミリメートル波（ｍｍＷａｖｅ）通信モジュール、ワイヤレスギガビット（ＷｉＧｉｇ）通信モジュール、近距離通信（ＮＦＣ）モジュール、等である。
【００４９】
いくつかの実施例において、無線通信モジュール１１６は、ＷＰＴ１１２の一部として含まれてよく、及び/又は、無線通信モジュール１５６は、ＷＰＲ１５２の一部として含まれてよい。例えば、図１に示されるようにである。他の実施例において、無線通信モジュール１１６は、デバイス１１０の無線通信モジュール１４０の一部として含まれてよく、及び/又は、無線通信モジュール１５６は、機器１５０の無線通信モジュール１９０の一部として含まれてよい。
【００５０】
いくつかの実施例において、無線通信モジュール１１６と１５６は、単方向または双方向通信のために信号１０４を利用してよい。
【００５１】
いくつかの実施例において、無線通信モジュール１５６は、信号１０４を介してＷＰＲ１５２から情報を送信するように構成されたＩＲ送信器を含んでよく、かつ、無線通信モジュール１１６は、ＷＰＴ１１２において信号１０４を受信するためのＩＲ受信器を含んでよい。種々の情報が、信号１０４を介して、ＷＰＲ１５２とＷＰＴ１１２との間で送信され得る。例えば、無線電力信号１０２を検出すると、ＷＰＲ１５２は、ＷＰＴ１１２を構成するために、ＷＰＴ１１２に対して初期化情報を送信してよい。例えば、デバイスの識別子及び/又はタイプ、充電システム許容値、等である。ＷＰＴ１１２の構成により、機器１５０は、例えば、効率的及び/又は安全な方法で、充電され得る。ＷＰＲ１５２は、ＷＰＴ１１２と通信を継続してよい。例えば、機器１５０の充電レベルのアップデートをＷＰＴ１１２に提供するため、充電のパワーを増加または減少するようにＷＰＴ１１２にリクエストするため、ＷＰＲ１５２によって検出されたあらゆるイベント、例えば、問題、故障、等をＷＰＴ１１２にアラート（ａｌｅｒｔ）するため、例えば、節電のため、ＷＰＴ１１２が電力信号１０２の送信を停止し得るように、充電が完了したことをＷＰＴ１１２に知らせるため、等である。
【００５２】
いくつかの実施例において、無線通信モジュール１５６と無線通信モジュール１１６は、信号１０４を介して双方向通信を実施してよい。例えば、無線通信モジュール１１６と１５６は、信号１０４を送信および受信するための無線トランシーバを含んでよい、例えば、ＩＲトランシーバである。双方向通信は、ＷＰＴ１１２によって使用されてよい。例えば、ＷＰＴ１１２の能力をＷＰＲ１５２に知らせるため、充電がまさに開始すること又は充電が始まったことをＷＰＲ１５２に示すため、ＷＰＲ１５２からの送信の受信をアクノレッジ（ａｃｋｎｏｗｌｅｄｇｅ）するため、ＷＰＴ１１２における問題のあるイベントについてＷＰＲ１５２にアラート（ａｌｅｒｔ）を提供するため、等である。
【００５３】
一つの実施例において、コントローラ１５４は、無線通信モジュール１５６をコントロールしてよく、ＷＰＴ１１２に対して、ＷＰＲ１５２によって受信された無線電力信号１０２のステータスを示す信号１０４、及び/又は、機器１５０の電力状況を示す信号１０４を通信する。例えば、信号１０４は、無線電力信号１０２がＷＰＲ１５２によって受信されている、ＷＰＲ１５２によって受信されていないことの通知、及び/又は、無線電力信号１０２のパワーを増加または減少させるリクエストを含んでよい。追加的または代替的に、信号１０４は、バッテリー１９１の現在の電力レベル、バッテリー１９１がフル充電されるまでの見積り時間、機器１５０が経験している問題、等の通知を含んでよい。
【００５４】
一つの実施例において、ＷＰＴ１１２は、ＷＰＲ１５２によって受信された無線電力信号１０２のステータス及び/又は機器１５０の電力状況を示している信号１０４を受信してよく、そして、コントローラ１１４は、ＷＰＲ１５２から受信した信号１０４に基づいて、無線電力信号１０２をコントロール、及び/又は、信号１０４を通信し得る。例えば、コントローラ１１４は、ＷＰＴ１１２をコントロールして、無線電力信号１０２の送信を開始または停止すること、及び/又は、無線電力信号１０２のパワーを増加または減少させることができる。コントローラ１０４は、例えば、信号１０４を送信するように無線通信モジュール１１６をコントロールしてよい。例えば、ＷＰＲ１５２からの指示の受信をアクノレッジするため、無線電力信号１０２の送信の開始または停止を示すため、無線電力信号１０２のパワーの増加または減少を示すため、及び/又は、ＷＰＲ１５２へ情報を提供するためである。
【００５５】
いくつかの実施例において、デバイス１１０は、また、例えば、一つまたはそれ以上のプロセッサ１３４、入力ユニット１３０、出力ユニット１３２、メモリユニット１３６、ストレージユニット１３８、及び/又は、無線通信モジュール１４０を含んでよい。機器１５０は、また、例えば、一つまたはそれ以上のプロセッサ１８４、入力ユニット１８０、出力ユニット１８２、メモリユニット１８６、ストレージユニット１８８、及び/又は、無線通信モジュール１９０を含んでよい。デバイス１１０及び/又は機器１５０は、任意的に、他の適切なハードウェアコンポーネント及び/又はソフトウェアコンポーネントを含んでよい。いくつかの実施例において、デバイス１１０及び/又は機器１５０に係るいくつか又は全てのコンポーネントは、共通のハウジングまたはパッケージの中に封入されてよく、そして、一つまたはそれ以上の有線または無線リンクを使用して相互接続または動作可能に関連付けされてよい。他の実施例において、デバイス１１０及び/又は機器１５０のコンポーネントは、複数または分離したデバイスの中に配分されてよい。
【００５６】
プロセッサ１３４及び／又はプロセッサ１８４は、例えば、中央演算処理装置（ＣＰＵ）、デジタル信号プロセッサ（ＤＳＰ）、一つまたはそれ以上のプロセッサコア、シングルコアプロセッサ、デュアルコアプロセッサ、マルチコアプロセッサ、マイクロプロセッサ、ホストプロセッサ、コントローラ、複数のプロセッサ又はコントローラ、チップ、マイクロチップ、一つまたはそれ以上の回路、回路構成、ロジックユニット、集積回路（ＩＣ）、特定用途向けＩＣ（ＡＳＩＣ）、あるいは、何らかの他の適切な多目的又は特定のプロセッサ又はコントローラを含んでいる。プロセッサ１３４は、例えば、デバイス１１０のオペレーティングシステム（ＯＳ）の、及び／又は、一つまたはそれ以上の適切なアプリケーションの命令を実行してよく、プロセッサ１８４は、例えば、機器１５０のＯＳの、及び／又は、一つまたはそれ以上の適切なアプリケーションの命令を実行してよい。
【００５７】
入力ユニット１３０及び／又は入力ユニット１８０は、例えば、キーボード、キーパッド、マウス、タッチスクリーン、タッチパッド、トラックボール、スタイラス、マイクロフォン、もしくは、他の適切なポインティングデバイスまたは入力デバイスを含んでいる。出力ユニット１３２及び／又は出力ユニット１８２は、例えば、モニタ、スクリーン、タッチスクリーン、フラットパネルディスプレイ、ブラウン管（ＣＲＴ）ディスプレイユニット、液晶表示（ＬＣＤ）ディスプレイユニット、プラズマディスプレイユニット、一つまたはそれ以上のオーディオスピーカまたはイヤホン、もしくは、他の適切な出力デバイスを含んでいる。
【００５８】
メモリユニット１３６及び／又はメモリユニット１８６は、例えば、ランダムアクセスメモリ（ＲＡＭ）、読出し専用メモリ（ＲＯＭ）、ダイナミックＲＡＭ（ＤＲＡＭ）、シンクロナスＤＲＡＭ（ＳＤＲＡＭ）、フラッシュメモリ、揮発性メモリ、不揮発性メモリ、キャッシュメモリ、バッファ、短期記憶ユニット、長期記憶ユニット、または、他の適切なメモリユニットを含んでいる。ストレージユニット１３８及び／又はストレージユニット１８８は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、もしくは、他の適切なリムーバブルまたは非リムーバブルストレージユニットを含んでいる。メモリユニット１３６及び／又はストレージユニット１３８は、例えば、デバイス１１０によって処理されるデータを記憶してよく、メモリユニット１８６及び／又はストレージユニット１８８は、例えば、機器１５０によって処理されるデータを保管してよい。
【００５９】
いくつかの実施例において、無線通信モジュール１１６、１４０、１５６及び／又は１９０は、一つまたはそれ以上のラジオを含んでよい。例えば、一つまたはそれ以上の無線送信器、受信器、及び/又は、トランシーバを含んでおり、無線通信信号、ＩＲ信号、ブルートゥース（登録商標）信号、ＲＦ信号、フレーム、ブロック、送信ストリーム、パケット、メッセージ、データアイテム、及び／又は、データを送信及び／又は受信することができる。例えば、無線通信モジュール１１６、１４０、１５６及び／又は１９０は、無線ネットワークインタフェースカード（ＮＩＣ）、等の一部を含んでよく、または、そうした部分として実装されてよい。
【００６０】
図２を参照すると、いくつかの例証的な実施に従って、第２デバイス２０４との電力伝送に携わる第１デバイス２０２を模式的に示している。例えば、デバイス２０２は、デバイス１１０（図１）の機能を実行してよく、及び/又は、デバイス２０４は、機器１５０（図１）の機能を実行してよい。
【００６１】
いくつかの実施例において、デバイス２０２は、例えば、以下に詳しく説明するように、ロード（ｌｏａｄ）の変化を検出することによって、充電領域の中にデバイス２０３が物理的に置かれたときを検知するように構成されてよい。
【００６２】
いくつかの実施例において、デバイス２０２は、例えば、デバイス２０４が、デバイス２０２の近傍に又は接触して置かれたときに、デバイス２０４を充電するように無線充電信号２０８を送信するための少なくとも一つの充電信号送信器２１０を含んでよい。例えば、充電信号２０８の有効範囲に基づくものである。例えば、充電信号送信器２１０は、Ｔｘレゾネータ（図１）の機能を実行してよく、及び/又は、無線充電信号２０８じゃ、無線電力信号（図１）の機能を実行してよい。
【００６３】
いくつかの実施例において、デバイス２０４は、電源を充電するため、及び/又は、デバイス２０４の一つまたはそれ以上のコンポーネントを動作させるために、充電信号２０８を使用してよい。例えば、充電信号２０８は、ＲＦ信号を含んでよく、デバイス２０４の中で、コイルにおいて、例えばＲｘレゾネータ１６６（図１）、電流を誘導し得る。そして、電流は、デバイス２０４のバッテリー、例えばバッテリー１９１（図１）、を充電するために、及び/又は、デバイス２０４の一つまたはそれ以上のコンポーネント、例えばコンポーネント１９５（図１）、に電力供給するために使用され得る。
【００６４】
いくつかの実施例において、デバイス２０２は、例えば、上記に説明したように、デバイス２０４とデータ２０６を通信するための無線通信ユニット２１２を含んでよい。例えば、無線通信ユニット２１２は、無線通信モジュール１１６（図１）の機能を実行してよい。
【００６５】
図３を参照すると、いくつかの例証的な実施に従って、第１デバイス３０２と第２デバイス３０４との間での電力伝送インタラクションスキームを模式的に示している。例えば、デバイス３０２は、デバイス１１０（図１）の機能を実行してよく、及び/又は、デバイス３０４は、機器１５０（図１）の機能を実行してよい。
【００６６】
いくつかの実施例において、デバイス３０２は、ジェネレータコントロールモジュール３０６を含んでよく、例えば、コントロール信号３１０を使用して、充電信号ジェネレータ３０８をコントロールする。例えば、ジェネレータコントロールモジュール３０６は、コントローラ１１４（図１）の機能を実行してよく、及び/又は、充電信号ジェネレータ３０８は、ＷＰＴ１１２（図１）の一つまたはそれ以上の機能を実行してよい。
【００６７】
図３に示されるように、コントロール信号３１０に応じて、充電信号ジェネレータ３０８は、例えば、充電信号１３２、例えばＲＦ充電信号、を生成してよく、デバイス３０２のＲＦ送信器（ＴＸ）３０９によって放射され得る。例えば、RF送信器３０９は、Ｔｘレゾネータ１２６（図１）の機能を実行してよく、及び/又は、充電信号３１２は、無線電力信号１０２（図１）の機能を実行してよい。
【００６８】
いくつかの実施例において、デバイス３０４は、充電信号３１２を受信するためのＲＦ受信器（Ｒｘ）３２６を含んでよい。例えば、ＲＦ受信器３２６は、充電信号３１２を受信し、かつ、デバイス３０４のロードによって使用されるべき電流を生成するように構成されたコイルを含んでよい。例として、デバイス３０４の電源、例えばバッテリー１９１（図１）を充電するためである。例えば、ＲＦ受信器３２６は、Ｒｘレゾネータ１６６（図１）の機能を実行してよい。
【００６９】
いくつかの実施例において、デバイス３０４は、充電信号３１２を介して受信したパワーを取扱うためのパワーモジュール３２０を含んでよい。例えば、パワーモジュール３２０は、ＷＰＲ１５２（図１）の一つまたはそれ以上のエレメントの機能を実行してよい。
【００７０】
いくつかの実施例において、デバイス３０４は、デバイス３０４の充電をコントロールするための充電コントロールモジュール３２４を含んでよい。例えば、充電コントロールモジュール３２４は、コントローラ１５４（図１）の機能を実行してよい。
【００７１】
いくつかの実施例において、パワーモジュール３２０は、充電コントロールモジュール３２４に対して指標３２２を提供してよい。例えば、充電信号３１２のステータス、デバイス３０４の電力状況、等を示すためのものである。充電コントロールモジュール３２４は、例えば、信号３２２に基づいて、デバイス３０２に対して送信されるべき情報を決定してよい。充電コントロールモジュール３２４は、信号３１４、例えばＩＲ信号を、デバイス３０２に対して送信するために近接送信器３２８を使用してよい。
【００７２】
いくつかの実施例において、ジェネレータコントロールモジュール３０６は、信号３１４を受信してよく、例えば、信号３１４に含まれる情報、例としてステータス及び/又はインストラクション、に基づいて充電信号ジェネレータ３０８をコントロールしてよい。例えば、ジェネレータコントロールモジュール３０６は、充電信号ジェネレータ３０８に、信号３１２の生成の開始／停止、信号３１２のパワーを増加または低減、等をさせてよい。
【００７３】
いくつかの実施例において、図３に示された例証的なインタラクションは、継続されてよい。例えば、デバイス３０４を充電している一方で、デバイス３０４が取り除かれる、例えば、信号３１２の範囲外に移動される、まで、デバイス３０２及び/又はデバイス３０４によって問題が検出されるまで、及び/又は、あらゆる他のクライテリアが満たされるまで、である。
【００７４】
図１に戻って参照すると、いくつかの実施例において、ＷＰＴ１１２のスタンバイ電力消費が比較的に大きいことがある。例えば、長いスタンバイ期間の最中、例として機器１５０が充電のために信号１０２を使用していない間に、信号１０２を送信するように構成されている場合である。
【００７５】
いくつかの実施例において、デバイス１１０が、機器１５０が充電領域の中に居るときを判断できるようにするために、デバイス１１０と機器１５０との間のデータ通信を使用することは、デバイス１１０と機器１５０との間で通信リンクを確立することを必要とし得る。従って、そうしたソリューションは、機器１５０の電力消費、時間消費、及び/又は、ユーザに対する透明性の観点で、効率的でないことがある。
【００７６】
いくつかの実施例において、ＷＰＴ１１２は、デバイス１１０と機器１５０との間の通信リンクを確立することなく、及び/又は、先立って、機器１５０を検出するように構成され得る。例えば、以下に説明するようにである。
【００７７】
いくつかの実施例において、ＷＰＴ１１２は、パワー受信器、例えばＷＰＲ１５２が、ＷＰＴ１１２の充電領域の中に物理的に置かれたときを検知するように構成され得る。例えば、Ｔｘレゾネータ１２６のロードにおける変化を検出することによるものである。例えば、以下に説明するようにである。
【００７８】
いくつかの実施例において、例えば、デバイス１１０と機器１５０との間の通信チャンネルを使用することなく、ＷＰＴ１１２が、パワー受信器、例えばＷＰＲ１５２が、ＷＰＴ１１２の充電領域の中に物理的に置かれたときを検知できるようにすることは、例えば、ＷＰＴ１１２のスタンバイ電力消費を低減できるようにし得る。
【００７９】
いくつかの実施例において、コントローラ１１４は、相互インピーダンスにおける変化に基づいてＷＰＲ１５２を検出するように構成され得る。変化は、無線電力信号１０２の充電領域の中に置かれている機器１５０から結果として生じ得るものである。
【００８０】
いくつかの実施例において、コントローラ１１４は、Ｔｘレゾネータ１２６を介した一つまたはそれ以上の信号の送信の最中のＷＰＴ１１２に誘導されたロードの検出に基づいてＷＰＲ１５２を検出し得る。例えば、以下に説明するようにである。
【００８１】
いくつかの実施例において、コントローラ１１４は、少なくとも一つのＷＰＲ、例えばＷＰＲ１５２、を捜すためのサーチ状態（「低電力サーチ（”ｌｏｗ  ｐｏｗｅｒ  ｓｅａｒｃｈ”）」としても参照されるもの）において動作するようにＷＰＴ１１２をコントロールしてよい。
【００８２】
いくつかの実施例においては、サーチ状態において、コントローラ１１４は、少なくとも一つのＷＰＲ、例えばＷＰＲ１５２、を検出するための検出フェイズ（「検出モード（”ｄｅｔｅｃｔｉｏｎ  ｍｏｄｅ”）」）において動作するようにＷＰＴ１１２をコントロールしてよい。
【００８３】
いくつかの実施例において、コントローラ１１４は、例えば、ＷＰＲを検出すると、充電フェイズ（「充電モード（”ｃｈａｒｇｉｎｇ  ｍｏｄｅ”）」）において動作するようにＷＰＴ１１２をコントロールしてよい。充電フェイズの最中に、ＷＰＴ１１２は、検出されたＷＰＲへ無線電力信号１０２を送信してよい。例えば、以下に説明するようにである。
【００８４】
いくつかの実施例において、検出フェイズは、例えば、デバイス１１０とデバイス１１５０が通信リンクを確立するように要求することなく、ＷＰＴ１１２がＷＰＲ１５２を検出できるように構成されてよい。
【００８５】
いくつかの実施例において、ＷＰＴ１１２は、ＷＰＲの検出後に、ＷＰＲ１５２と通信リンクを確立してよい。
【００８６】
例えば、コントローラ１１４は、検出フェイズにおいてＷＰＴ１１２を動作させてよく、その最中にコントローラ１１４は、ＷＰＲ１５２がＷＰＴ１１２の充電領域の中に在るかを検出するために、エネルギプローブ（「プローブイベント（”ｐｒｏｂｅ  ｅｖｅｎｔ”）」）のショートパルスを生成するようにＴｘレゾネータ１２６をコントロールしてよい。ＷＰＲ１５２を検出すると、コントローラ１１４は、充電フェイズにおいてＷＰＴ１１２を動作させてよく、その最中にコントローラ１１４は、例えば継続的に、ＷＰＲ１５２のオペレーション及び/又は充電を開始するために、充電信号１０２を送信するようにＴｘレゾネータ１２６をコントロールしてよい。コントローラ１１４は、例えば、信号１０４を介して、上述のように、ＷＰＲ１５２のコントローラ１５４と通信してよい。
【００８７】
いくつかの実施例において、検出フェイズは、検出期間の最中のＷＰＴ１１２の電力消費を低減するように構成されてよい。例えば、ＷＰＴ１５２を捜している最中、及び/又は、ＷＰＴを検出するまでである。
【００８８】
いくつかの実施例において、コントローラ１１４は、例えば、プローブイベント間で、低減電力モード（「低電力スリープ状態」（”Ｌｏｗ  Ｐｏｗｅｒ  Ｓｌｅｅｐ  ｓｔａｔｅ”））において動作するようにＷＰＴ１１２をコントロールしてよい。例えば、低電力スリープ状態の最中に、例として、ＷＰＴ１１２の低減された数のスタンバイ機能をアクティブに保持している一方で、ＷＰＴ１１２の大部分の機能はサスペンドされてよい。スタンバイ機能は、例えば、ＷＰＴ１１２をウェイクアップできるようにする機能、及び/又は、デバイス１１０のホストからのメッセージ、例えばステータスメッセージ、をモニタできるようにする機能を含んでよい。例えば、インターインテグレーテッド回路（Ｉｎｔｅｒ−Ｉｎｔｅｇｒａｔｅｄ  Ｃｉｒｃｕｉｔ、Ｉ２Ｃ）インターフェイス、または、あらゆる他のインターフェイスにわたるものである。コントローラ１１４は、例えば、プローブイベントを送信するために、低電力スリープ状態からアクティブモード（「アクティブ状態」（”ａｃｔｉｖｅ  ｓｔａｔｅ”））へ切替えるようにＷＰＴ１１２をコントロールしてよい。
【００８９】
いくつかの実施例において、検出フェイズは、ＷＰＲ１５２を検出するためにＷＰＴ１１２が低電力サーチを実行することができるように構成されてよい。
【００９０】
いくつかの実施例において、コントローラ１１４は、検出期間の最中に、プローブエネルギパルスのシーケンス（「プローブ」（”ｐｒｏｂｅｓ”））を送信するようにＷＰＴ１１２をコントロールしてよい。
【００９１】
いくつかの実施例において、コントローラ１１４は、信号１０２のショートパルスの形式においてプローブのシーケンスを送信するようにＷＰＴ１１２をコントロールしてよい。例えば、コントローラ１１４は、検出期間の最中にエネルギのショートパルスを送信するようにＴｘレゾネータ１２６をコントロールしてよい。
【００９２】
いくつかの実施例において、コントローラ１１４は、Ｔｘレゾネータ１２６へエネルギのショートパルスのシーケンスを供給するようにＷＰＴ１１２をコントロールすることによって、プローブのシーケンスを生成するようにＷＰＴ１１２をコントロールしてよい。
【００９３】
いくつかの実施例において、検出フェイズの最中のＷＰＴ１１２の電力消費は、プローブのシーケンスを生成するためのエネルギに関連してよい。従って、それぞれのプローブのデュレーション（ｄｕｒａｔｉｏｎ）を低減すること、それぞれのプローブの電力消費を低減すること、及び/又は、プローブ間の時間期間を増加することは、ＷＰＴ１１２の電力消費の低減を可能にし得る。
【００９４】
いくつかの実施例において、コントローラ１１４は、プローブのシーケンスを生成するように、ＷＰＴ１１２をコントロールしてよい。例えば、それぞれのプローブが３ミリ秒より短いデュレーションを有し得るようにである。
【００９５】
いくつかの実施例において、プローブのデュレーションは、１００ミリ秒又はそれより短くてよい。
【００９６】
いくつかの実施例において、コントローラ１１４は、プローブのシーケンスを生成するように、ＷＰＴ１１２をコントロールしてよい。例えば、それぞれのプローブのエネルギレベルが、例としてＷＰＲ１５２を充電しているときの、無線充電信号１１２のエネルギレベルより小さいようにである。
【００９７】
いくつかの実施例において、コントローラ１１４は、プローブのシーケンスを生成するように、ＷＰＴ１１２をコントロールしてよい。例えば、プローブのシーケンスのうち２つの連続したプローブが少なくとも１秒によって分離されるようにである。
【００９８】
いくつかの実施例において、コントローラ１１４は、プローブの送信の最中にＷＰＴ１１２の誘導されたロードの検出に基づいてＷＰＲ１５２を検出してよい。
【００９９】
いくつかの実施例において、コントローラ１１４は、例えば、プローブの最中のＷＰＴ１１２のインピーダンスにおける変化を検出することによって、ＷＰＴ１１２に誘導されたロードを検出してよい。
【０１００】
いくつかの実施例において、ＰＡ１２２を介する電流は、プローブの最中に充電領域の中に置かれているオブジェクトの結果として増加してよい。
【０１０１】
いくつかの実施例において、コントローラ１１４は、例えば、プローブの最中のパワーアンプ１２２における電流の変化を検出することによって、ＷＰＴ１１２に誘導されたロードを検出してよい。例えば、以下に説明するようにである。
【０１０２】
いくつかの実施例において、コントローラ１１４は、充電領域の中にオブジェクトを置くことによって生じるインピーダンス変化ＷＰＴ１１２をコントローラ１１４が検出できるようにするのに十分なエネルギを有するプローブを生成するように構成された既定電流（「プローブ電流」（”ｐｒｏｂｅ  ｃｕｒｒｅｎｔ”））をＴｘレゾネータ１２６に対して適用するように、ＷＰＴ１１２をコントロールしてよい。
【０１０３】
いくつかの実施例において、ＷＰＴ１１２は、プローブ送信の最中のパワーアンプ１２２における電流の変化を検出するための検出器１１８を含んでよい。
【０１０４】
いくつかの実施例において、検出器１１８は、パワーアンプ１２２における電流の一つまたはそれ以上のピークを検出するように構成されたピーク検出器を含んでよい。例えば、以下に説明するようにである。
【０１０５】
いくつかの実施例において、コントローラ１１４は、検出器１１８によって検出された一つまたはそれ以上のピークに基づいてＷＰＲ１５２を検出してよい。
【０１０６】
いくつかの実施例において、検出器１１８は、ＷＰＴ１１２に誘導されたロードを検出するためにあらゆる他の検出器を含んでよい。例えば、検出器１１８は、プローブの最中にＴｘレゾネータ１２６にわたる電圧における反射電力（ｒｅｆｌｅｃｔｅｄ  ｐｏｗｅｒ）及び/又は変化を測定するように構成されてよい。他の実施例においては、ＷＰＴ１１２に誘導されたロードを検出するために、あらゆる他の検出技術が使用されてよい。
【０１０７】
いくつかの実施例において、検出器１１８は、プローブのデュレーションに対応する比較的に短い時間期間の中で、パワーアンプ１２２における電流の一つまたはそれ以上のピークを検出するように構成されてよい。
【０１０８】
一つの実施例において、検出器１１８は、例えばプローブが３ミリ秒より短いデュレーションを有する場合に、パワーアンプ１２２における電流の一つまたはそれ以上のピークを検出するように構成されてよい。
【０１０９】
例えば、検出器１１８は、例えばプローブが１００マイクロ秒より短いデュレーションを有する場合に、１００マイクロ秒より短い期間の中でパワーアンプ１２２における電流の一つまたはそれ以上のピークを検出するように構成されてよい。
【０１１０】
図４を参照すると、いくつかの例証的な実施に従った、検出器４００が模式的に示されている。例えば、検出器４００は、検出器１１８（図１）の機能を実行してよい。
【０１１１】
いくつかの実施例において、検出器４００は、ＰＡ４０１の電源回路での電流をサンプルするように構成されたサンプルホールド（Ｓ／Ｈ）回路４０２を含んでよい。例えば、ＰＡ４０１は、ＰＡ１２２(図１)の機能を実行してよい。サンプルホールド回路４０２は、アナログデジタルコンバータ（ＡＤＣ）４０４に接続されてよく、ＡＤＣは、サンプルホールド回路４０２が、ＰＡ４０１での電流におけるピークを検出できるようにするよう構成されてよい。
【０１１２】
いくつかの実施例においては、例えば、ＷＰＲ１５２(図１)がＷＰＴ１１２(図１)の近傍に置かれた場合、例として、ＷＰＴ１１２(図１)にＷＰＲ１５２によって誘導されたロードの結果として、ＰＡ４０１を通じた電流が増加し得る。
【０１１３】
いくつかの実施例において、ＰＡ４０１を通じた電流は、例えば、十分なピーク電力の短いパルスを使用して、検出されてよい。一つの実施例においては、サンプリング抵抗、例えば０．１オームの抵抗、がＰＡ４０１の電源回路の中に置かれてよい。例えば、ＰＡ４０１を通じた電流を測定するためである。サンプリング抵抗の電圧は、ＰＡ４０１を通じた電流を示すことができる。例えば、例としてグラウンドに対して、約５０ミリボルト（ｍＶ）の電圧が存在し得る。例えば、約５００ミリアンペア（ｍＡ）の電流がＰＡ４０１を通じて流れている場合である。検出器４０１は、例えば、サンプルされた電圧をＡＤＣ回路４０４の範囲内で取得するための抵抗値を変更することによって、より高い又はより低い電力システムに対して調整されてよい。
【０１１４】
図１に戻って参照すると、いくつかの実施例において、サーチ状態は、ＷＰＴ１１２がスタンバイの最中に低減された電力消費を有することができるように構成されてよい。例えば、充電するデバイスを捜すときに、ＷＰＴ１１２が１０ミリワットより少ない平均電力消費を有し得るようにであり、例として、５ｍＷ又はそれより少ないものである。
【０１１５】
いくつかの実施例において、コントローラ１１４は、既定の検出スキームに従って、プローブのシーケンスを生成するようにＷＰＴ１１２をコントロールしてよい。例えば、以下に説明するようにである。
【０１１６】
以降は、いくつかの例証的な実施に従った、検出フェイズの最中における、ＷＰＴ、例えばＷＰＴ１１２、の平均電力消費の例証的な分析である。他の実施例において、ＷＰＴ１１２は、他の電力消費を有してよく、及び/又は、あらゆる他の検出スキームに従って動作してよい。
【０１１７】
いくつかの実施例において、検出フェイズの最中のＷＰＴ１１２の電力消費は、検出スキームに従って、ＷＰＲを捜しているときの、ＷＰＴ１１２によって消費される毎秒のエネルギに基づいて見積りされてよい。
【０１１８】
一つの実施例において、サーチ状態の最中のＷＰＴ１１２の電力消費、パワー（Ｐｏｗｅｒ）と表示されるもの、は以下のように決定されてよい。
Ｐｏｗｅｒ＝Ｐｒｏｂｅ＿ｅｎｅｒｇｙ＋Ｂａｓｅｌｉｎｅ＿ｍｅａｓｕｒｅｍｅｎｔ＋Ｓｔａｔｕｓ＿ｃｈｅｃｋ                                （１）
ここで、Ｐｒｏｂｅ＿ｅｎｅｒｇｙは、プローブイベントの最中にＷＰＴ１１２によって消費されるエネルギを示している。プローブイベントは、プローブ送信、および、ＷＰＲを検出するためのＰＡ１２２のピーク電流の測定を含み得る。ここで、Ｂａｓｅｌｉｎｅ＿ｍｅａｓｕｒｅｍｅｎｔは、ＷＰＲが検出されないときに、ピーク電流を測定するためにＷＰＴ１１２によって消費されるエネルギを示している。例えば、以下に説明するようにである。そして、ここで、Ｓｔａｔｕｓ＿ｃｈｅｃｋは、デバイス１１０のホストからの定期的なステータスチェックによって消費されるエネルギを示している。例えば、Ｉ２Ｃインターフェイス又はあらゆる他のインターフェイスを介するものである。
【０１１９】
いくつかの実施例において、検出スキームは、毎秒一つのプローブの割合で生成されたプローブパルスを含んでよい。例えば、連続したプローブパルスのペアそれぞれが、一秒離れているようにである。検出スキームは、また、プローブごとに１００マイクロ秒(μｓ）のデュレーションを含んでよい。他の実施例において、プローブパルスは、あらゆる他のプローブデュレーション及び/又はあらゆる他のプローブの割合を含む、あらゆる他の検出スキームに従って、生成されてよい。
【０１２０】
いくつかの実施例において、プローブイベントによって消費されるエネルギＰｒｏｂｅ＿ｅｎｅｒｇｙは、ＷＰＴ１１２の一つまたはそれ以上のエレメントによって消費されるエネルギを含んでよい。例えば、プローブを送信する以前に、低電力スリープ状態からアクティブ状態へ移行する場合である。例えば、プローブイベントによって消費されるエネルギＰｒｏｂｅ＿ｅｎｅｒｇｙは、低電力スリープ状態からアクティブ状態へ移行するためにコンピュータ１９によって消費されるエネルギ、および、ＷＰＴ１１２のクロックソースを動作化するためのエネルギを含んでよい。
【０１２１】
いくつかの実施例において、電源１２０のエレメント、例えば、電源１２０の主レギュレータの出力におけるＤＣフィルタキャパシタ、を充電するためのエネルギ、Ｉｎｐｕｔ＿ｅｎｅｒｇｙと表示されるもの、は、例えば、ＤＣフィルタキャパシタによって保管されたエネルギ、Ｓｔｏｒｅｄ＿ｅｎｅｒｇｙと表示されるもの、および、効率、Ｃｏｎｖｅｒｓｉｏｎ＿ｅｆｆｉｃｉｅｎｃｙと表示されるもの、に基づいて決定されてよい。例えば、エネルギＩｎｐｕｔ＿ｅｎｅｒｇｙは、以下のように決定されてよい。例えば、ＰＡ１２２が１０ボルト（Ｖ）で動作される場合である。
Ｓｔｏｒｅｄ＿ｅｎｅｒｇｙ＝（１／２）＊ＣＶ２＝０．５＊４６．８μＦ＊１０２＝２．３４ミリジュール（ｍＪ）                                              （２）
Ｉｎｐｕｔ＿ｅｎｅｒｇｙ＝Ｓｔｏｒｅｄ＿ｅｎｅｒｇｙ／Ｃｏｎｖｅｒｓｉｏｎ＿ｅｆｆｉｃｉｅｎｃｙ＝（２．３４ｍＪ）／（０．７）＝３．３４ｍＪ      （３）
【０１２２】
いくつかの実施例において、プローブパルスを送信するためのパルスエネルギ、Ｐｕｌｓｅ＿ｅｎｅｒｇｙと表示されるもの、は、例えば、８０ｍＡの電流が使用される場合に、以下のように、決定されてよい。
Ｐｕｌｓｅ＿ｅｎｅｒｇｙ＝１０Ｖ＊８０ｍＡ＊１００μｓ＝０．８ｍＪ      （４）
【０１２３】
いくつかの実施例において、電源１２０のキャパシタによって保管されたエネルギＩｎｐｕｔ＿ｅｎｅｒｇｙは、式（３）によれば、３．３４ｍＪであり得るが、式（４）による、プローブパルスによって使用され得る、エネルギ０．８ｍＪより大きくてよい。従って、電源１２０は、例えば、エネルギＩｎｐｕｔ＿ｅｎｅｒｇｙを低減するように最適化されてよく、かつ、それによって、ＷＰＴ１１２の電力消費をさらに低減する。
【０１２４】
いくつかの実施例において、以下の表は、ＷＰＴ１１２によって消費されるエネルギをまとめている。プローブイベントのためのウェイクアップ、プローブの生成、および、低電力スリープ状態への戻り、の間の時間期間の最中のものであり、例えば、次のプローブイベントまでのものである。
【表１】
2016527853.tif 000003
【０１２５】
いくつかの実施例において、コントローラ１１４は、プローブの最中の、例えば検出器１１８によって検出された、ＰＡ１２２のピーク電流と、デバイスが存在しないときのピーク電流（ベースラインピーク電流（”ｂａｓｅｌｉｎｅ  ｐｅａｋ  ｃｕｒｒｅｎｔ”））との比較に基づいて、ＷＰＲ１５２を検出してよい。
【０１２６】
いくつかの実施例において、ベースラインピーク電流は、例えば、ピークサンプルホールド回路４０２（図４）を使用するＡＤＣ４０４（図４）によって、測定されてよい。例えば、上述のようにである。
【０１２７】
いくつかの実施例において、コントローラ１１４は、例えば、毎秒１回、低電力スリープ状態からウェイクアップするようにＷＰＴ１１２をコントロールしてよく、例として、Ｔｘレゾネータ１２６を、例えば１０Ｖで８０ｍｓ、イネーブルすることによって、プローブを生成し、かつ、例えば上述のように、ピーク電流を測定する。コントローラ１１４は、例えば、測定されたピーク電流をベースラインピーク電流と比較することによって、検出されたピーク電流がＷＰＲ１５２の検出を示しているか否かを判断してよい。
【０１２８】
いくつかの実施例において、コントローラ１１４は、例えば、ＷＰＲ１５２が検出されたと判断すると、充電フェイズを開始するようにＷＰＴ１１２をコントロールしてよい。
【０１２９】
いくつかの実施例において、コントローラ１１４は、例えば、ＷＰＲ１５２が検出されない場合に、ベースラインピーク電流を更新してよい。例えば、コントローラ１１４は、ベースラインピーク電流を測定されたピーク電流に設定してよい。
【０１３０】
いくつかの実施例において、ベースラインピーク電流の測定のために消費されたエネルギＢａｓｅｌｉｎｅ＿ｍｅａｓｕｒｅｍｅｎｔは、例えば、毎秒１回のベースラインピーク電流測定を仮定して、以下のように決定されてよい。
Ｂａｓｅｌｉｎｅ＿ｍｅａｓｕｒｅｍｅｎｔ＝（１０Ｖ＊８０ｍＡ＊８０ｍｓ）／（６０秒）＝１．０７ｍＪ毎秒                                              （５）
【０１３１】
いくつかの実施例において、ＷＰＴ１１２の平均電力消費は、デバイス１１０のホストとのインターフェイス上のアクティビティの割合によって影響され得る。例えば、Ｉ２Ｃバス上のアクティビティ（「ステータスチェック（”ｓｔａｔｕｓ  ｃｈｅｃｋ”）」）は、アクティブ状態へのＷＰＴ１１２の短時間の移行を生じてよく、その最中にコントローラ１１４は、増加した電力を消費してよい。
【０１３２】
いくつかの実施例において、ホストインターフェイス上のアクティビティの結果としてＷＰＴ１１２によって消費されるエネルギＳｔａｔｕｓ＿ｃｈｅｃｋは、例えば、毎秒１回のステータスチェックを仮定して、以下のように決定されてよい。
Ｓｔａｔｕｓ＿ｃｈｅｃｋ＝５Ｖ×５０ｍＡ×３ｍｓ＝０．７５ｍＪ        （６）
【０１３３】
いくつかの実施例において、ＷＰＴ１１２の全エネルギ消費は、例えば、上述のような、Ｐｒｏｂｅ＿ｅｎｅｒｇｙ、Ｂａｓｅｌｉｎｅ＿ｍｅａｓｕｒｅｍｅｎｔ、およびＳｔａｔｕｓ＿ｃｈｅｃｋの代わりに、以下のように決定されてよい。
Ｐｏｗｅｒ＝４．７７（ｍＪ／ｓｅｃ）＋１．０７（ｍＪ／ｓｅｃ）＋０．７５（ｍＪ／ｓｅｃ）＝６．５９ｍＷ                                              （７）
【０１３４】
図５は、いくつかの例証的な実施に従った、無線電力伝送方法の模式的なフローチャートである。いくつかの実施例において、図５に係る方法の一つまたはそれ以上のオペレーションは、システムの一つまたはそれ以上のエレメントによって実行されてよい。例えば、システム１００(図１)、デバイス、例としてデバイス１１０及び/又は機器１５０(図１)、ＷＰＴ、例としてＷＰＴ１１２(図１)、ＷＰＲ、例としてＷＰＲ１５２(図１)、及び/又は、コントローラ、例としてコントローラ１１４(図１)及び/又はコントローラ１５４(図１)である。
【０１３５】
ブロック５０２に示されるように、本方法は、検出期間の最中にプローブのシーケンスをＷＰＴによって送信するステップを含んでよい。例えば、コントローラ１１４(図１)は、ＷＰＴ１１２(図１)をコントロールすることによって検出フェイズにおいて、例えば、上述のように、プローブパルスのシーケンスを送信するように、ＷＰＴ１１２(図１)を操作してよい。
【０１３６】
ブロック５０４に示されるように、本方法は、プローブのシーケンスの送信の最中にＷＰＴに誘導されたロードの検出に基づいてＷＰＲを検出するステップを含んでよい。例えば、コントローラ１１４(図１)は、例えば、上述のように、プローブの送信の最中のＷＰＴ１１２(図１)に誘導されたロードの検出に基づいてＷＰＲ１５２(図１)を検出してよい。
【０１３７】
ブロック５０４に示されるように、本方法は、例えば、ＷＰＲを検出すると、ＷＰＲに対してＷＰＴから無線充電信号を送信するステップを含んでよい。例えば、コントローラ１１４(図１)は、例えば、上述のように、例として、無線電力信号１０２(図１)を送信するために、充電フェイズにおいて動作するようにＷＰＴ１１２(図１)をコントロールしてよい。
【０１３８】
ブロック５０４に示されるように、本方法は、例えば、ＷＰＲの検出後に、ＷＰＴとＷＰＲとの間の通信リンクを確立するステップを含んでよい。例えば、コントローラ１１４(図１)は、例えば、上述のように、ＷＰＲ１５２(図１)の検出後に、ＷＰＲ１５２(図１)との無線通信リンクを確立するように、無線通信モジュール１１６(図１)をコントロールしてよい。
【０１３９】
図６を参照すると、いくつかの例証的な実施に従った、製品６００が模式的に示されている。製品６００は、ロジック６０４を保管するために固定のマシンで読取り可能なストレージ媒体６０２を含んでよく、以下のために使用されてよい。例えば、デバイス１１０(図１)、機器１５０(図１)、ＷＰＴ１１２(図１)、コントローラ１１４(図１)、コントローラ１５４(図１)の機能の少なくとも一部を実行するため、及び/又は、図５の方法の一つまたはそれ以上のオペレーションを実行するためである。フレーズ「固定のマシンで読取り可能な媒体（”ｎｏｎ−ｔｒａｓｉｔｏｒｙ  ｍａｃｈｉｎｅ−ｒｅａｄａｂｌｅ  ｍｅｄｉｕｍ”）」は、一時的な信号の伝播である唯一の例外を伴い、全てのコンピュータで読取り可能な媒体を含むように向けられている。
【０１４０】
いくつかの実施例において、製品６００及び/又はコンピュータで読取り可能なストレージ媒体６０２は、データを保管することができる一つまたはそれ以上のタイプのコンピュータで読取り可能なストレージ媒体を含んでよい。揮発性メモリ、不揮発性メモリ、リムーバブル又は非リムーバブルメモリ、消去可能又は消去不能メモリ、書き込み可能又は書き換え可能メモリ、等を含むものである。例えば、マシンで読取り可能な媒体６０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラム可能ＲＯＭ（ＰＲＯＭ）、消去可能なプログラム可能ＲＯＭ（ＥＰＲＯＭ）、電気的に消去可能なプログラム可能ＲＯＭ（ＥＥＰＲＯＭ）、コンパクトディスクＲＯＭ（ＣＤ−ＲＯＭ）、コンパクトディスク・リコーダブル（ＣＤ−Ｒ）、コンパクトディスク・リライタブル（ＣＤ−ＲＷ）、フラッシュメモリ（例えば、ＮＯＲ又はＮＡＮＤフラッシュメモリ）、連想メモリ（ＣＡＭ）、ポリマーメモリ、相変化メモリ、強誘電体メモリ、シリコン−酸化物−窒化物−酸化物−シリコン（ＳＯＮＯＳ）メモリ、ディスク、フロッピー（登録商標）ディスク、ハードドライブ、光ディスク、磁気ディスク、カード、磁気カード、光学式カード、テープ、カセット、等を含んでよい。コンピュータで読取り可能なストレージ媒体は、搬送波又は他の伝播媒体において具現されるデータ信号によって通信リンク、例えば、モデム、ラジオ又はネットワーク接続を介して運ばれる、遠隔のコンピュータから要求元のコンピュータへのコンピュータプログラムをダウンロード又は伝送することに関与するあらゆる適切な媒体を含んでよい。
【０１４１】
いくつかの実施例において、ロジック６０４は、マシンによって実行される場合に、マシンに、ここにおいて説明された方法、プロセス及び／又はオペレーションを実行させるインストラクション、データ、及び／又は、コードを含んでよい。マシンは、例えば、あらゆる適切なプロセッシングプラットフォーム、コンピューティングプラットフォーム、コンピューティングデバイス、プロセッシングデバイス、コンピューティングシステム、プロセッシングシステム、コンピュータ、プロセッサ、等を含んでよく、ハードウェア、ソフトウェア、ファームウェア、等のあらゆる適切な組み合わせを使用して実装されてよい。
【０１４２】
いくつかの実施例において、ロジック６０４は、ソフトウェア、ソフトウェアモジュール、アプリケーション、プログラム、サブルーチン、インストラクション、インストラクションセット、コンピューティングコード、ワード、値、シンボル、等を含んでよく、あるいは、そのようなものとして実装されてよい。インストラクションは、ソースコード、コンパイル済みのコード、インタプリート済みのコード、実行可能コード、スタティックコード、ダイナミックコード、等といった、あらゆる適切なタイプのコードを含んでよい。インストラクションは、プロセッサに特定の関数を実行するよう命じるために、所定のコンピュータ言語、様式又はシンタックスに従って実装されてよい。インストラクションは、例えば、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコード、等といった、あらゆる適切なハイレベル、ローレベル、オブジェクト指向、ビジュアル、コンパイル済み及び／又はインタプリート済みのプログラミング言語を使用して実装されてよい。
【０１４３】
実施例
以下の実施例は、さらなる実施形態に関する。
【０１４４】
実施例１は、コントローラを含む装置である。本コントローラは、検出期間の最中にプローブのシーケンスを送信するように無線電力送信器（ＷＰＴ）をコントロールし、前記プローブのシーケンスに係るプローブ送信の最中の前記ＷＰＴに誘導されたロードの検出に基づいて、無線電力受信器（ＷＰＲ）を検出し、かつ、前記ＷＰＲを検出すると、無線充電信号を前記ＷＰＲに対して送信するように前記ＷＰＴをコントロールする。
【０１４５】
実施例２は、実施例１の技術的事項を含み、かつ、任意的に、前記コントローラは、前記プローブ送信の最中の前記ＷＰＴのインピーダンスにおける変化を検出することによって、前記誘導されたロードを検出する。
【０１４６】
実施例３は、実施例１または２の技術的事項を含み、かつ、任意的に、前記コントローラは、前記プローブ送信の最中の前記ＷＰＴのパワーアンプにおける電流の変化を検出することによって、前記誘導されたロードを検出する。
【０１４７】
実施例４は、実施例３の技術的事項を含み、かつ、任意的に、前記パワーアンプにおける電流の一つまたはそれ以上のピークを検出するためのピ−ク検出器を含み、前記コントローラは、前記一つまたはそれ以上のピークに基づいて前記ＷＰＲを検出する。
【０１４８】
実施例５は、実施例４の技術的事項を含み、かつ、任意的に、前記ピーク検出器は、３ミリ秒より短い期間内に前記一つまたはそれ以上のピークを検出するように構成されている。
【０１４９】
実施例６は、実施例５の技術的事項を含み、かつ、任意的に、前記ピーク検出器は、１００マイクロ秒より短い期間内に前記一つまたはそれ以上のピークを検出するように構成されている。
【０１５０】
実施例７は、実施例４乃至６いずれか一つの技術的事項を含み、かつ、任意的に、前記ピーク検出器は、サンプルホールド回路を含む。
【０１５１】
実施例８は、実施例１乃至７いずれか一つの技術的事項を含み、かつ、任意的に、前記プローブは、３ミリ秒より短いデュレーションを有する。
【０１５２】
実施例９は、実施例８の技術的事項を含み、かつ、任意的に、前記プローブの前記デュレーションは、１００マイクロ秒又はそれより短い。
【０１５３】
実施例１０は、実施例１乃至９いずれか一つの技術的事項を含み、かつ、任意的に、前記プローブのエネルギレベルは、前記無線充電信号のエネルギレベルより小さい。
【０１５４】
実施例１１は、実施例１乃至１０いずれか一つの技術的事項を含み、かつ、任意的に、前記プローブのシーケンスのうち２つの連続したプローブは、少なくとも１秒によって分離されている。
【０１５５】
実施例１２は、実施例１乃至１１いずれか一つの技術的事項を含み、かつ、任意的に、前記コントローラは、前記ＷＰＲの検出後に、前記ＷＰＲとの通信リンクを確立する。
【０１５６】
実施例１３は、無線電力送信器（ＷＰＴ）デバイスを含むシステムである。本ＷＰＴは、電源と、前記電源からの電力を増幅するパワーアンプと、前記パワーアンプからの増幅された電力を使用して信号を送信するための送信器レゾネータと、コントローラを含む。前記コントローラは、前記プローブのシーケンスを送信するように前記送信器レゾネータをコントロールし、かつ、前記ＷＰＲに対して前記無線充電信号を送信するように前記送信器レゾネータをコントロールする。
【０１５７】
実施例１４は、実施例１３の技術的事項を含み、かつ、任意的に、前記コントローラは、前記プローブ送信の最中の前記ＷＰＴのインピーダンスにおける変化を検出することによって、前記誘導されたロードを検出する。
【０１５８】
実施例１５は、実施例１３または１４の技術的事項を含み、かつ、任意的に、前記コントローラは、前記プローブ送信の最中の前記ＷＰＴのパワーアンプにおける電流の変化を検出することによって、前記誘導されたロードを検出する。
【０１５９】
実施例１６は、実施例１５の技術的事項を含み、かつ、任意的に、前記パワーアンプにおける電流の一つまたはそれ以上のピークを検出するためのピ−ク検出器を含み、前記コントローラは、前記一つまたはそれ以上のピークに基づいて前記ＷＰＲを検出する。
【０１６０】
実施例１７は、実施例１６の技術的事項を含み、かつ、任意的に、前記ピーク検出器は、３ミリ秒より短い期間内に前記一つまたはそれ以上のピークを検出するように構成されている。
【０１６１】
実施例１８は、実施例１７の技術的事項を含み、かつ、任意的に、前記ピーク検出器は、１００マイクロ秒より短い期間内に前記一つまたはそれ以上のピークを検出するように構成されている。
【０１６２】
実施例１９は、実施例１６乃至１８いずれか一つの技術的事項を含み、かつ、任意的に、前記ピーク検出器は、サンプルホールド回路を含む。
【０１６３】
実施例２０は、実施例１３乃至１９いずれか一つの技術的事項を含み、かつ、任意的に、前記プローブは、３ミリ秒より短いデュレーションを有する。
【０１６４】
実施例２１は、実施例２０の技術的事項を含み、かつ、任意的に、前記プローブの前記デュレーションは、１００マイクロ秒又はそれより短い。
【０１６５】
実施例２２は、実施例１３乃至２１いずれか一つの技術的事項を含み、かつ、任意的に、前記プローブのエネルギレベルは、前記無線充電信号のエネルギレベルより小さい。
【０１６６】
実施例２３は、実施例１３乃至２２いずれか一つの技術的事項を含み、かつ、任意的に、前記プローブのシーケンスのうち２つの連続したプローブは、少なくとも１秒によって分離されている。
【０１６７】
実施例２４は、実施例１３乃至２３いずれか一つの技術的事項を含み、かつ、任意的に、前記コントローラは、前記ＷＰＲの検出後に、前記ＷＰＲとの通信リンクを確立する。
【０１６８】
実施例２５は、実施例１３乃至２４いずれか一つの技術的事項を含み、かつ、任意的に、前記ＷＰＴデバイスを含む無線充電デバイスを含む。
【０１６９】
実施例２６は、方法を含んでいる。本方法は、検出期間の最中に無線電力送信器（ＷＰＴ）によってプローブのシーケンスを送信するステップと、前記プローブのシーケンスに係るプローブ送信の最中の前記ＷＰＴに誘導されたロードの検出に基づいて無線電力受信器（ＷＰＲ）を検出するステップと、前記ＷＰＲを検出すると無線充電信号を前記ＷＰＴから前記ＷＰＲに対して送信するステップとを含む。
【０１７０】
実施例２７は、実施例２６の技術的事項を含み、かつ、任意的に、前記プローブ送信の最中の前記ＷＰＴのインピーダンスにおける変化を検出することによって、前記誘導されたロードを検出するステップを含む。
【０１７１】
実施例２８は、実施例２６または２７の技術的事項を含み、かつ、任意的に、前記プローブ送信の最中の前記ＷＰＴのパワーアンプにおける電流の変化を検出することによって、前記誘導されたロードを検出するステップを含む。
【０１７２】
実施例２９は、実施例２８の技術的事項を含み、かつ、任意的に、前記パワーアンプにおける電流の一つまたはそれ以上のピークを検出するステップと、前記一つまたはそれ以上のピークに基づいて前記ＷＰＲを検出するステップとを含む。
【０１７３】
実施例３０は、実施例２９の技術的事項を含み、かつ、任意的に、３ミリ秒より短い期間内に前記一つまたはそれ以上のピークを検出するステップを含む。
【０１７４】
実施例３１は、実施例３０の技術的事項を含み、かつ、任意的に、１００マイクロ秒より短い期間内に前記一つまたはそれ以上のピークを検出するステップを含む。
【０１７５】
実施例３２は、実施例２６乃至３１いずれか一つの技術的事項を含み、かつ、任意的に、前記プローブは、３ミリ秒より短いデュレーションを有する。
【０１７６】
実施例３３は、実施例３２の技術的事項を含み、かつ、任意的に、前記プローブの前記デュレーションは、１００マイクロ秒又はそれより短い。
【０１７７】
実施例３４は、実施例２６乃至３３いずれか一つの技術的事項を含み、かつ、任意的に、前記プローブのエネルギレベルは、前記無線充電信号のエネルギレベルより小さい。
【０１７８】
実施例３５は、実施例２６乃至３４いずれか一つの技術的事項を含み、かつ、任意的に、前記プローブのシーケンスのうち２つの連続したプローブは、少なくとも１秒によって分離されている。
【０１７９】
実施例３６は、実施例２６乃至３５いずれか一つの技術的事項を含み、かつ、任意的に、前記ＷＰＲの検出後に、前記ＷＰＲとの通信リンクを確立するステップを含む。
【０１８０】
実施例３７は、インストラクションが保管された固定のストレージ媒体を含む製品を含む。本インストラクションがマシンによって実行されると、検出期間の最中に無線電力送信器（ＷＰＴ）によってプローブのシーケンスを送信するステップと、前記プローブのシーケンスに係るプローブ送信の最中の前記ＷＰＴに誘導されたロードの検出に基づいて、無線電力受信器（ＷＰＲ）を検出するステップと、前記ＷＰＲを検出すると、無線充電信号を前記ＷＰＴから前記ＷＰＲに対して送信するステップ、を結果として生じる。
【０１８１】
実施例３８は、実施例３７の技術的事項を含み、かつ、任意的に、前記インストラクションは、前記プローブ送信の最中の前記ＷＰＴのインピーダンスにおける変化を検出することによって、前記誘導されたロードを検出するステップ、を結果として生じる。
【０１８２】
実施例３９は、実施例３７または３８の技術的事項を含み、かつ、任意的に、前記インストラクションは、前記プローブ送信の最中の前記ＷＰＴのパワーアンプにおける電流の変化を検出することによって、前記誘導されたロードを検出するステップ、を結果として生じる。
【０１８３】
実施例４０は、実施例３９の技術的事項を含み、かつ、任意的に、前記インストラクションは、前記パワーアンプにおける電流の一つまたはそれ以上のピークを検出するステップと、前記一つまたはそれ以上のピークに基づいて前記ＷＰＲを検出するステップと、を結果として生じる。
【０１８４】
実施例４１は、実施例４０の技術的事項を含み、かつ、任意的に、前記インストラクションは、３ミリ秒より短い期間内に前記一つまたはそれ以上のピークを検出するステップ、を結果として生じる。
【０１８５】
実施例４２は、実施例４１の技術的事項を含み、かつ、任意的に、前記インストラクションは、１００マイクロ秒より短い期間内に前記一つまたはそれ以上のピークを検出するステップ、を結果として生じる。
【０１８６】
実施例４３は、実施例３７乃至４２いずれか一つの技術的事項を含み、かつ、任意的に、前記プローブは、３ミリ秒より短いデュレーションを有する。
【０１８７】
実施例４４は、実施例４３の技術的事項を含み、かつ、任意的に、前記プローブの前記デュレーションは、１００マイクロ秒又はそれより短い。
【０１８８】
実施例４５は、実施例３７乃至４４いずれか一つの技術的事項を含み、かつ、任意的に、前記プローブのエネルギレベルは、前記無線充電信号のエネルギレベルより小さい。
【０１８９】
実施例４６は、実施例３７乃至４５いずれか一つの技術的事項を含み、かつ、任意的に、前記プローブのシーケンスのうち２つの連続したプローブは、少なくとも１秒によって分離されている。
【０１９０】
実施例４７は、実施例３７乃至４６いずれか一つの技術的事項を含み、かつ、任意的に、前記インストラクションは、前記ＷＰＲの検出後に、前記ＷＰＲとの通信リンクを確立するステップ、を結果として生じる。
【０１９１】
実施例４８は、装置を含んでいる。本装置は、検出期間の最中に無線電力送信器（ＷＰＴ）によってプローブのシーケンスを送信する手段と、前記プローブのシーケンスに係るプローブ送信の最中の前記ＷＰＴに誘導されたロードの検出に基づいて無線電力受信器（ＷＰＲ）を検出する手段と、前記ＷＰＲを検出すると、無線充電信号を前記ＷＰＴから前記ＷＰＲに対して送信する手段とを含む。
【０１９２】
実施例４９は、実施例４８の技術的事項を含み、かつ、任意的に、前記プローブ送信の最中の前記ＷＰＴのインピーダンスにおける変化を検出することによって、前記誘導されたロードを検出する手段を含む。
【０１９３】
実施例５０は、実施例４８または４９の技術的事項を含み、かつ、任意的に、前記プローブ送信の最中の前記ＷＰＴのパワーアンプにおける電流の変化を検出することによって、前記誘導されたロードを検出する手段を含む。
【０１９４】
実施例５１は、実施例５０の技術的事項を含み、かつ、任意的に、前記パワーアンプにおける電流の一つまたはそれ以上のピークを検出する手段と、前記一つまたはそれ以上のピークに基づいて前記ＷＰＲを検出する手段とを含む。
【０１９５】
実施例５２は、実施例５１の技術的事項を含み、かつ、任意的に、３ミリ秒より短い期間内に前記一つまたはそれ以上のピークを検出する手段を含む。
【０１９６】
実施例５３は、実施例５２の技術的事項を含み、かつ、任意的に、１００マイクロ秒より短い期間内に前記一つまたはそれ以上のピークを検出する手段を含む。
【０１９７】
実施例５４は、実施例４８乃至５３いずれか一つの技術的事項を含み、かつ、任意的に、前記プローブは、３ミリ秒より短いデュレーションを有する。
【０１９８】
実施例５５は、実施例５４の技術的事項を含み、かつ、任意的に、前記プローブの前記デュレーションは、１００マイクロ秒又はそれより短い。
【０１９９】
実施例５６は、実施例４８乃至５５いずれか一つの技術的事項を含み、かつ、任意的に、前記プローブのエネルギレベルは、前記無線充電信号のエネルギレベルより小さい。
【０２００】
実施例５７は、実施例４８乃至５６いずれか一つの技術的事項を含み、かつ、任意的に、前記プローブのシーケンスのうち２つの連続したプローブは、少なくとも１秒によって分離されている。
【０２０１】
実施例５８は、実施例４８乃至５７いずれか一つの技術的事項を含み、かつ、任意的に、前記ＷＰＲの検出後に、前記ＷＰＲとの通信リンクを確立する手段を含む。
【０２０２】
一つまたはそれ以上の実施例を参照してここにおいて記載される機能、動作、コンポーネント及び／又は特徴は、一つまたはそれ以上の他の実施例を参照してここにおいて記載される一つまたはそれ以上の他の機能、動作、コンポーネント及び／又は特徴と組み合わされてよく、あるいは、それらと共に使用されてよい。あるいは、その逆も同様である。
【０２０３】
いくつかの所定の特徴がここにおいて説明され、かつ、記述されてきたが、多くの改良、置換、変更、及び均等が、当業者にとった想到可能である。従って、添付の特許請求の範囲は、本発明の技術的範囲内にある全てのそのような改良及び変更をカバーするよう意図されている。
【図１】
2016527853.tif 000004
【図２】
2016527853.tif 000005
【図３】
2016527853.tif 000006
【図４】
2016527853.tif 000007
【図５】
2016527853.tif 000008
【図６】
2016527853.tif 000009
【国際調査報告】
2016527853.tif 000010
2016527853.tif 000011